(57)【要約】【課題】ネットワークを利用して通信を行なう通信装置の利便性を向上させることのできる技術を提供する。【解決手段】通信システムは、第１の通信装置と、第２の通信装置とを備える。各通信装置は、異なるローカルエリアネットワークに接続された２以上の装置をグローバルなネットワークを越えて特定するための識別子を用い、異なるローカルエリアネットワークに接続された他の通信装置を特定して通信を行なう通信部と、識別子を記憶する記憶部とを備える。第１の通信装置の記憶部には、自装置を特定するための識別子として第１の識別子が予め設定されているとともに、通信先の識別子として第２の通信装置を特定するための第２の識別子が予め登録されており、第２の通信装置の記憶部には、自装置を特定するための識別子として第２の識別子が予め設定されている。【選択図】図２
2011239331.tif 000002
【特許請求の範囲】
【請求項１】
通信システムであって、
第１の通信装置と、第２の通信装置とを備え、
前記各通信装置は、
異なるローカルエリアネットワークに接続された２以上の装置をグローバルなネットワークを越えて特定するための識別子を用い、前記異なるローカルエリアネットワークに接続された他の通信装置を特定して通信を行なう通信部と、
前記識別子を記憶する記憶部と
を備え、
前記第１の通信装置の記憶部には、自装置を特定するための識別子として第１の識別子が予め設定されているとともに、通信先の識別子として前記第２の通信装置を特定するための第２の識別子が予め登録されており、
前記第２の通信装置の記憶部には、自装置を特定するための識別子として前記第２の識別子が予め設定されている
通信システム。
【請求項２】
請求項１に記載の通信システムであって、
前記第２の通信装置の記憶部には、さらに、通信先の識別子として前記第１の通信装置を特定するための前記第１の識別子が予め登録されている
通信システム。
【請求項３】
請求項１または請求項２に記載の通信システムであって、
前記各通信装置は、前記識別子の交換を行なう識別子交換部を備え、
前記各識別子交換部は、自装置に設定されている識別子を、他の通信装置に対して送信するとともに、前記他の通信装置から送信された前記他の通信装置に設定されている識別子を受信し、前記受信した識別子を、通信先の識別子として自装置の前記記憶部に登録する
通信システム。
【請求項４】
通信装置であって、
異なるローカルエリアネットワークに接続された２以上の装置をグローバルなネットワークを越えて特定するための識別子を用い、前記異なるローカルエリアネットワークに接続された他の通信装置を特定して通信を行なう通信部と、
前記識別子を記憶する記憶部と
を備え、
前記記憶部には、自装置を特定するための識別子として第１の識別子が予め設定されているとともに、通信先の識別子として他の通信装置を特定するための第２の識別子が予め登録されている
通信システム。
【発明の詳細な説明】
【技術分野】
【０００１】
本発明は、通信システム及び通信装置に関するものである。
【背景技術】
【０００２】
近年、インターネット回線を利用して通話や映像の授受を行なう装置が普及し始めている。こうした通話装置は、対応する通話装置間において無料あるいは格安で通話を行なうことができるため、ユーザの注目を集めている。
【０００３】
しかし、インターネット回線を利用した通話装置によって通話を実現させるためには、ユーザは、自身が所有する通話装置をインターネット上において特定するためのＩＤを取得し、取得したＩＤ及びパスワードを自身が所有する通話装置に設定する必要があった。さらに、ユーザは、通信対象となる通話装置のＩＤを自身が所有する通話装置に登録する必要があった。このため、従来の通話装置は、ネットワークに関する知識が不足するユーザにとっては敷居が高く、利便性の高いものではないという問題があった。
【０００４】
なお、このような問題は、インターネット回線を利用した通話装置に限らず、一般に、ネットワークを利用して通信を行なう通信装置全般に共通する問題であった。
【発明の概要】
【発明が解決しようとする課題】
【０００５】
本発明は、上述した従来の課題を解決するためになされたものであり、ネットワークを利用して通信を行なう通信装置の利便性を向上させることのできる技術を提供することを目的とする。
【課題を解決するための手段】
【０００６】
本発明は、上述の課題の少なくとも一部を解決するために、以下の形態または適用例を取ることが可能である。
【０００７】
[適用例１]
通信システムであって、
第１の通信装置と、第２の通信装置とを備え、
前記各通信装置は、
異なるローカルエリアネットワークに接続された２以上の装置をグローバルなネットワークを越えて特定するための識別子を用い、前記異なるローカルエリアネットワークに接続された他の通信装置を特定して通信を行なう通信部と、
前記識別子を記憶する記憶部と
を備え、
前記第１の通信装置の記憶部には、自装置を特定するための識別子として第１の識別子が予め設定されているとともに、通信先の識別子として前記第２の通信装置を特定するための第２の識別子が予め登録されており、
前記第２の通信装置の記憶部には、自装置を特定するための識別子として前記第２の識別子が予め設定されている
通信システム。
【０００８】
このような構成によれば、第１の通信装置の記憶部には、第１の識別子が予め設定されているとともに、通信先の識別子として第２の識別子が予め登録されているので、ユーザが識別子の設定及び登録を行なうことなく、第１の通信装置から第２の通信装置に対しての通信を実現することができる。しかも、第１の通信装置から第２の通信装置に対しての通信が一度実現すれば、第２の通信装置の記憶部には、第１の識別子を登録することが可能となる。したがって、通信装置の利便性を向上させることができる。
【０００９】
[適用例２]
適用例１に記載の通信システムであって、
前記第２の通信装置の記憶部には、さらに、通信先の識別子として前記第１の通信装置を特定するための前記第１の識別子が予め登録されている
通信システム。
【００１０】
このような構成によれば、第２の通信装置から第１の通信装置に対しての通信も実現することができる。
【００１１】
[適用例３]
適用例１または適用例２に記載の通信システムであって、
前記各通信装置は、前記識別子の交換を行なう識別子交換部を備え、
前記各識別子交換部は、自装置に設定されている識別子を、他の通信装置に対して送信するとともに、前記他の通信装置から送信された前記他の通信装置に設定されている識別子を受信し、前記受信した識別子を、通信先の識別子として自装置の前記記憶部に登録する
通信システム。
【００１２】
このような構成によれば、通信装置の記憶部に、通信先の識別子として、新たな通信装置の識別子を容易に追加することができる。
【００１３】
[適用例４]
通信装置であって、
異なるローカルエリアネットワークに接続された２以上の装置をグローバルなネットワークを越えて特定するための識別子を用い、前記異なるローカルエリアネットワークに接続された他の通信装置を特定して通信を行なう通信部と、
前記識別子を記憶する記憶部と
を備え、
前記記憶部には、自装置を特定するための識別子として第１の識別子が予め設定されているとともに、通信先の識別子として他の通信装置を特定するための第２の識別子が予め登録されている
通信システム。
【００１４】
このような構成によれば、通信装置の記憶部に第２の識別子を登録するというユーザの手間を省くことができる。
【００１５】
なお、本発明は、種々の態様で実現することが可能である。例えば、通信方法および通信装置、それらの方法または装置の機能を実現するための集積回路、コンピュータプログラム、そのコンピュータプログラムを記録した記録媒体等の形態で実現することができる。
【図面の簡単な説明】
【００１６】
【図１】本発明の一実施例としてのネットワーク構成を示す説明図である。
【図２】通話装置１００，２００の内部構成を示す説明図である。
【図３】通話装置間においてスカイプ（登録商標）ＩＤの交換を実行するためのペアリング処理の流れを示すフローチャートである。
【発明を実施するための形態】
【００１７】
次に、本発明の実施の形態を実施例に基づいて以下の順序で説明する。
Ａ．実施例：
Ｂ．変形例：
【００１８】
Ａ．実施例：
図１は、本発明の一実施例としてのネットワーク構成を示す説明図である。本実施例では、通信装置としての２つの通話装置１００，２００が、それぞれアクセスポイント１１及びルータ１２を介してインターネットＩＮに接続されている。すなわち、通話装置１００は、無線（ワイヤレスＬＡＮ）でインターネットＩＮに接続されており、通話装置２００は、有線（ＬＡＮケーブル）でインターネットＩＮに接続されている。なお、アクセスポイント１１及びルータ１２では、グローバルアドレスとローカルアドレスの変換処理（ＮＡＴ（Network Address Translation））が行われており、２つの通話装置１００，２００は、異なるローカルエリアネットワークに属している。
【００１９】
通話装置１００は、いわゆるＴＶ機能付の音声チャットを行なうための装置であり、通信先から送信される音声を出力する音声出力部１０１と、通信先から送信される映像や各種設定画面等を表示する表示部１０２と、通話装置１００のユーザ等の音声を入力とする音声入力部１０３と、通話装置１００のユーザ等の映像を撮影する撮影部１０４と、通話装置１００のユーザからの指示を受け付ける操作部１０５とを備えている。なお、通話装置２００は、通話装置１００と同様の構成を備えているため、同様の構成については説明を省略する。
【００２０】
通話装置１００，２００は、それぞれスカイプ（登録商標）による通信機能を備えており、スカイプ（登録商標）サーバ１３やスーパーノードを利用して、互いにピアツーピア（Ｐｅｅｒ  ｔｏ  Ｐｅｅｒ：Ｐ２Ｐ）による通信が可能である。スカイプ（登録商標）による通信機能では、識別子としてのスカイプ（登録商標）ＩＤを用いて、異なるローカルエリアネットワークに接続された２以上の装置をグローバルなネットワークを越えて特定することができる。
【００２１】
本実施例では、通話装置１００には、自装置のスカイプ（登録商標）ＩＤとして「ＴＡＲＯ」が予め設定されており、スカイプ（登録商標）ＩＤ「ＴＡＲＯ」に対応するパスワードも予め設定されている。さらに、通話装置１００には、通信先としてのスカイプ（登録商標）ＩＤ「ＨＡＮＡＫＯ」が予め登録されている。
【００２２】
一方、通話装置２００には、自装置のスカイプ（登録商標）ＩＤとして「ＨＡＮＡＫＯ」が予め設定されており、スカイプ（登録商標）ＩＤ「ＨＡＮＡＫＯ」に対応するパスワードも予め設定されている。さらに、通話装置２００には、通信先としてのスカイプ（登録商標）ＩＤ「ＴＡＲＯ」が予め登録されている。
【００２３】
したがって、通話装置１００及び通話装置２００のユーザは、自装置へのスカイプ（登録商標）ＩＤの設定や、通信先のスカイプ（登録商標）ＩＤの登録を行なうことなく、通話装置１００及び通話装置２００が備えるスカイプ（登録商標）による通信機能を用いて通話をすることができる。
【００２４】
通話装置１００及び通話装置２００を用いて通話を開始するまでの手順の一例について説明する。通話装置１００のユーザが通話装置１００の電源をオンにすると、通話装置１００の表示部１０２には、通信先として予め登録されたスカイプ（登録商標）ＩＤである「ＨＡＮＡＫＯ」が表示される。通話装置１００のユーザが、操作部１０５を操作して、表示部１０２に表示された「ＨＡＮＡＫＯ」を選択すると、通話装置１００は、上述した通信機能を利用して、通話装置２００に対し、接続を要求するパケットを送信する。
【００２５】
通話装置２００は、通話装置１００から送信されたパケットを受信すると、表示部２０２に、通話装置１００のスカイプ（登録商標）ＩＤである「ＴＡＲＯ」を表示させる。通話装置２００のユーザが、操作部２０５を操作して、表示部２０２に表示された「ＴＡＲＯ」を選択すると、通話装置２００は、通話装置１００に対し、接続に対する応答を示すパケットを送信する。このようにして、通話装置１００と通話装置２００との間の通信が開始され、音声や動画像を構成するパケットの送受信が行なわれる。通話装置１００のユーザ及び通話装置２００のユーザは、それぞれの通話装置の音声入力部や、音声出力部、撮影部、表示部を利用して、いわゆるテレビ電話による通話を行なう。
【００２６】
このように、スカイプ（登録商標）ＩＤが予め設定・登録された通話装置のセットがユーザに提供されているので、ユーザは、通話装置をすぐに使用することができる。
【００２７】
図２は、通話装置１００，２００の内部構成を示す説明図である。通話装置１００は、上述した音声出力部１０１と、表示部１０２と、音声入力部１０３と、撮影部１０４と、操作部１０５とに加えて、無線ＬＡＮによる通信を行なうための無線ＬＡＮ通信部１１０と、有線ＬＡＮによる通信を行なうための有線ＬＡＮインターフェース１２０と、ＣＰＵ１２２と、ＲＯＭ１２３と、ＲＡＭ１２４と、内部記憶装置１３０とを備えている。
【００２８】
無線ＬＡＮ通信部１１０は、２．４ＧＨｚの帯域を利用して通信を行なうものであり、ＭＡＣ／ＢＢＰモジュール１１１と、ＲＦモジュール１１２と、ＦＥモジュール１１３とを備えている。ＭＡＣ／ＢＢＰモジュール１１１は、メディアアクセスコントローラ（ＭＡＣ）およびベースバンドプロセッサ（ＢＢＰ）の各モジュールを収納した１チップの素子であり、このうちのＭＡＣ部は、データリンク層(第２層)の下位に位置して、所定形式のフレームを単位とする送受信や、誤り検出などを行なう。また、ＢＢＰ部は、変調前または復調後の信号（ベースバンド）を処理する回路である。従って、ＭＡＣ／ＢＢＰモジュール１１１では、通信する信号に対してＭＡＣアドレスなどのヘッダを付けてパケット化するといった処理、つまりデータを通信用のデータに加工する処理を行なう。
【００２９】
ＲＦモジュール１１２は、通信用に整形されパケット化されたデータを、搬送波で変調して送信信号としたり、あるいは搬送波で変調された受信信号からデータを取り出す処理を行なう。ＦＥモジュール１１３は、アンテナ１１４とＲＦモジュール１１２との間に位置して、受信感度の調整や送信出力の調整、更には半二重の信号の切り替えを行なうフロントエンドモジュールである。
【００３０】
ＣＰＵ１２２は、ＲＯＭ１２３に格納されたファームウェアやプログラムをＲＡＭ１２４に展開して実行することにより、通話装置１００の各部を制御したり、無線ＬＡＮ通信部１１０と協働して後述するペアリング処理を実行するペアリング処理部として機能する。内部記憶装置１３０は、自装置に設定されているスカイプ（登録商標）ＩＤやパスワード、通信先のスカイプ（登録商標）ＩＤ、各種設定事項等を記憶している。
【００３１】
前述したように、本実施例では、通話装置１００の内部記憶装置１３０には、通信先のスカイプ（登録商標）ＩＤとして「ＨＡＮＡＫＯ」が予め登録されており、通話装置２００の内部記憶装置２３０には、通信先のスカイプ（登録商標）ＩＤとして「ＴＡＲＯ」が予め登録されているため、通話装置１００と通話装置２００との間においてスカイプ（登録商標）の通信機能を利用して通信を行なうことができる。
【００３２】
ここで、通話装置１００のユーザが、通話装置１００の新たな通信先として通話装置３００を追加したい場合には、２台の通話装置１００，３００にペアリング処理を実行させる。ペアリング処理とは、２つの通話装置の間において互いのスカイプ（登録商標）ＩＤの交換を行なわせる処理である。本実施例では、以下に説明するように、２台の通話装置１００，３００は、それぞれの無線ＬＡＮ通信部を用いて、互いのスカイプ（登録商標）ＩＤを無線経由で交換する。具体的には、通話装置１００，３００は、プローブを送信する際に、自装置に設定されたスカイプ（登録商標）ＩＤを、プローブにおける製造者特定情報領域（Vendor Specific Information）に含めることによって、互いのスカイプ（登録商標）ＩＤを交換する。
【００３３】
図３は、通話装置間においてスカイプ（登録商標）ＩＤの交換を実行するためのペアリング処理の流れを示すフローチャートである。この図３に示した例では、ユーザは、通話装置１００のペアリング処理を実行させた後に、通話装置３００のペアリング処理を実行させることとする。２つの通話装置１００，３００は、同一のペアリング処理（図３）を実行するので、図３では、両者が本実施例において実行するステップを区別するため、通話装置１００が実行するステップを「Ｓ」で示し、通話装置３００が実行するステップを「Ｔ］で示す。
【００３４】
なお、通話装置１００のペアリング処理は、ユーザからの指示が操作部１０５から入力されることによって実行される。具体的には、例えば、ユーザが操作部１０５を操作することによって、表示部１０２に表示されたメニュー画面の中から、「ペアリング処理を実行する」という項目を選択すると、通話装置１００がペアリング処理を実行する。通話装置３００のペアリング処理の実行についても同様である。
【００３５】
通話装置１００は、ペアリング処理を実行すると、パケットの待ち受けを開始する（ステップＳ１００）。本実施例では、通話装置３００のペアリング処理がまだ実行されていないため、通話装置１００は、パケットを受信せず（ステップＳ１０２：Ｎｏ）、自装置のスカイプ（登録商標）ＩＤをプローブリクエストに含めて送信する（ステップＳ１０４）。通話装置１００は、パケットを受信するまでの間、受信パケットの有無を監視しつつ、自装置のスカイプ（登録商標）ＩＤを含めたプローブリクエストを送信し続ける。このとき、通話装置１００の表示部１０２には、「もう一台のペアリング処理を実行させてください」と表示されており、ユーザは、この表示に従って、通話装置３００のペアリング処理を実行させる。
【００３６】
通話装置３００は、ペアリング処理を実行すると、パケットの待ち受けを開始する（ステップＴ３００）。本実施例では、通話装置１００のペアリング処理が既に実行されているため、通話装置３００は、パケットを受信し（ステップＴ３０２：Ｙｅｓ）、受信したパケットの種別を判定する（ステップＴ３０４）。このとき、通話装置１００が送信し続けているパケットはプローブリクエストであるため（ステップＴ３０４：プローブリクエスト）、通話装置３００は、プローブリクエストに含まれる通話装置１００のスカイプ（登録商標）ＩＤを登録する（ステップＴ３０６）。通話装置３００は、通話装置１００のスカイプ（登録商標）ＩＤを登録すると、自装置のスカイプ（登録商標）ＩＤをプローブレスポンスに含めて送信し（ステップＴ３０８）、ペアリング処理を終了する。
【００３７】
通話装置１００は、通話装置３００が送信したパケットを受信すると（ステップＳ１０２：Ｙｅｓ）、受信したパケットの種別を判定する（ステップＳ１０６）。このとき、通話装置３００が送信するパケットはプローブレスポンスであるため（ステップＳ１０６：プローブレスポンス）、通話装置１００は、プローブレスポンスに含まれる通話装置３００のスカイプ（登録商標）ＩＤを登録し（ステップＳ１０８）、ペアリング処理を終了する。
【００３８】
以上説明したように、通話装置１００及び通話装置３００においてペアリング処理を実行させれば、互いのスカイプ（登録商標）ＩＤが通話装置１００及び通話装置３００に自動的に追加登録されることとなる。なお、通話装置１００，３００は、パケットの待ち受け状態において、所定期間経過してもパケットを受信しない場合には、ペアリング処理を終了する。
【００３９】
このように、本実施例では、通話装置自身のスカイプ（登録商標）ＩＤ及び通信先のスカイプ（登録商標）ＩＤが、予め内部記憶装置に設定・登録されているので、ユーザが煩雑な設定を行なうことなく、通話装置間による通話を実現することができる。
【００４０】
さらに、ユーザが通信先のスカイプ（登録商標）ＩＤを追加したい場合には、２台の通話装置においてペアリング処理を実行させることによって、自動的に互いのスカイプ（登録商標）ＩＤを交換することが可能となる。したがって、通話装置がキーボード等の入力装置を備えていない場合であっても、通信先のスカイプ（登録商標）ＩＤを容易に追加することができる。したがって、本実施例によれば、ユーザに対して利便性の高い通話装置を提供することができる。
【００４１】
Ｂ．変形例：
なお、この発明は上記の実施例や実施形態に限られるものではなく、その要旨を逸脱しない範囲において種々の態様において実施することが可能であり、例えば次のような変形も可能である。
【００４２】
変形例１：
上記実施例では、各通話装置は、グローバルなネットワークを越えたピアツーピアの通信を実現するために、スカイプ（登録商標）による通信機能を備えていたが、この代わりに、ウィンドウズ（登録商標）メッセンジャーやヤフー（登録商標）メッセンジャー等の他の通信機能を備えることとしてもよい。すなわち、各通話装置は、異なるローカルエリアネットワークに接続された２以上の装置をグローバルなネットワークを越えて特定するための識別子を用いて通信を行なうことが可能な通信機能を備えていればよい。
【００４３】
変形例２：
上記実施例では、スカイプ（登録商標）による通信機能を備えた通信装置の一例として、通話装置を挙げたが、本発明は、通信機能を備えたデジタルフォトフレームや、通信機能を備えた音楽／動画再生装置等に対しても適用することができる。
【００４４】
変形例３：
上記実施例では、２台の通話装置１００，２００に、通信先のスカイプ（登録商標）ＩＤとして、それぞれ互いのスカイプ（登録商標）ＩＤが予め登録されていたが、この代わりに、いずれか一方の通話装置のみに、通信先のスカイプ（登録商標）ＩＤとして、他方の通信装置のスカイプ（登録商標）ＩＤが登録されているものとしてもよい。この場合、通信先のスカイプ（登録商標）ＩＤが登録された一方の通話装置が、他方の通話装置に対して接続要求を行なうと、他方の通話装置では、新たなスカイプ（登録商標）ＩＤからの接続を承認するか否かの確認画面が表示される。他方の通話装置のユーザが、操作部を操作することによって、新たな通話装置からの接続を承認すると、２台の通話装置において通信が可能となる。このように、一方の通話装置からは、他方の通話装置へ通信を行なうことができるため、通話装置の利便性を向上させることができる。しかも、一方の通話装置から他方の通話装置に対しての通信が一度実現すれば、他方の通信装置に一方のスカイプ（登録商標）ＩＤを登録することが可能となる。
【００４５】
また、３台以上の通話装置に、自装置のスカイプ（登録商標）ＩＤが予め設定されており、通信先のスカイプ（登録商標）ＩＤとして複数のスカイプ（登録商標）ＩＤが予め登録されているものとしてもよい。
【００４６】
また、自装置のスカイプ（登録商標）ＩＤが予め設定されており、通信先のスカイプ（登録商標）ＩＤとして他のスカイプ（登録商標）ＩＤが登録されている通話装置を、単独で、ユーザに提供することとしてもよい。このようにしても、スカイプ（登録商標）ＩＤを通話装置に登録するというユーザの手間を省くことができる。
【００４７】
変形例４：
上記実施例では、２台の通話装置１００，３００は、無線通信機能を利用してスカイプ（登録商標）ＩＤのペアリング処理を行っていたが、この代わりに、２台の通話装置は、ケーブルを介して、互いのスカイプ（登録商標）ＩＤを交換することとしてもよい。
【００４８】
変形例５：
上記実施例では、ユーザが表示部１０２に表示されたメニュー画面を見ながら操作部１０５を操作することによって、通話装置１００のペアリング処理を実行させていたが、この代わりに、通話装置１００の側面や背面等に、ペアリング処理を実行させるためのペアリング実行スイッチが設けられており、ユーザがこのペアリング実行スイッチを押した場合に、通話装置１００がペアリング処理を実行するものとしてもよい。
【００４９】
変形例６：
上記実施例では、ユーザは、通話装置１００のペアリング処理を実行させた後に、通話装置３００のペアリング処理を実行させていたが、この代わりに、通話装置３００のペアリング処理を実行させた後に、通話装置１００のペアリング処理を実行させてもよい。このようにしても、通話装置１００，３００は、互いのスカイプ（登録商標）ＩＤを登録することができる。
【００５０】
また、一方の通話装置が先に実行するペアリング処理と、他方の通話装置が後に実行するペアリング処理とは、異なる処理フローであってもよい。この場合には、２台の通話装置においてそれぞれ実行される２種類のペアリング処理の実行の順番は固定される。
【００５１】
変形例７：
上記実施例においてソフトウェアで実現されている機能の一部をハードウェアで実現してもよく、あるいは、ハードウェアで実現されている機能の一部をソフトウェアで実現してもよい。
【００５２】
変形例８：
上記実施例では、無線ＬＡＮ通信部１１０は、２．４ＧＨｚの帯域を利用して通信を行なっていたが、無線ＬＡＮ通信部１１０は、５ＧＨｚ帯などの他の帯域を利用して通信を行なうこととしてもよい。
【符号の説明】
【００５３】
１１…アクセスポイント
１２…ルータ
１３…スカイプ（登録商標）サーバ
１００…通話装置
１０１…音声出力部
１０２…表示部
１０３…音声入力部
１０４…撮影部
１０５…操作部
１１０…無線ＬＡＮ通信部
１１１…ＭＡＣ／ＢＢＰモジュール
１１２…ＲＦモジュール
１１３…ＦＥモジュール
１１４…アンテナ
１２０…有線ＬＡＮインターフェース
１２２…ＣＰＵ
１２３…ＲＯＭ
１２４…ＲＡＭ
１３０…内部記憶装置
２００…通話装置
２０１…音声出力部
２０２…表示部
２０３…音声入力部
２０４…撮影部
２０５…操作部
２１０…無線ＬＡＮ通信部
２１１…ＭＡＣ／ＢＢＰモジュール
２１２…ＲＦモジュール
２１３…ＦＥモジュール
２１４…アンテナ
２２０…有線ＬＡＮインターフェース
２２２…ＣＰＵ
２２３…ＲＯＭ
２２４…ＲＡＭ
２３０…内部記憶装置
３００…通話装置
ＩＮ…インターネット
【図１】
2011239331.tif 000003
【図２】
2011239331.tif 000004
【図３】
2011239331.tif 000005